(57)【要約】【課題】  内外輪の転走面の表面粗さを改善し、摩擦トルク低減と摩耗防止および寿命を向上させると共に、転走面の形状崩れを抑制し、軸受の昇温や異音の発生を防止した四点接触玉軸受を提供する。【解決手段】  内周に外側転走面２ａが形成された外輪２と、外周に外側転走面２ａに対向する内側転走面３ａが形成された内輪３と、外側転走面２ａと内側転走面３ａ間に転動自在に収容された複数のボール５とを備え、各転走面２ａ、３ａが、ボール５とそれぞれ二点で接触するゴシックアーチの断面形状に形成された四点接触玉軸受１において、外輪２および内輪３が、互いに突き合わされたそれぞれ２つのリング部材６、７、８、９で構成されると共に、それぞれの転走面２ａ、３ａに所定の表面粗さを有する超仕上面が形成されている。【選択図】図１
2005214330.tif 000002
【特許請求の範囲】
【請求項１】
内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受において、
前記外輪および内輪が、互いに突き合わされたそれぞれ一対のリング部材で構成されると共に、それぞれの転走面に所定の表面粗さを有する超仕上面が形成されていることを特徴とする四点接触玉軸受。
【請求項２】
前記外輪および内輪を構成するそれぞれ一対のリング部材が連結手段によって一体化されている請求項１に記載の四点接触玉軸受。
【請求項３】
前記外輪および内輪にそれぞれ軸方向に延びる貫通孔が穿設され、この貫通孔に固定ボルトが嵌挿され、ナットで前記一対のリング部材が一体に締結されている請求項２に記載の四点接触玉軸受。
【請求項４】
前記外輪の外周面および前記内輪の内周面に、前記一対のリング部材の突合せ面を跨ぐように円形溝が複数形成され、これらの円形溝に止め輪が嵌合されている請求項２に記載の四点接触玉軸受。
【請求項５】
前記外輪の外周面および前記内輪の内周面に、前記一対のリング部材の突合せ面を挟んで一対の環状溝が形成され、これらの環状溝に断面略コの字形の連結環が嵌合されている請求項２に記載の四点接触玉軸受。
【請求項６】
前記外輪および内輪の転走面が、ゴシックアーチの断面形状に形成されている請求項１乃至５いずれかに記載の四点接触玉軸受。
【請求項７】
内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受の製造方法において、
前記外輪および内輪を構成するそれぞれ一対のリング部材を互いに突き合わされた状態で連結し、研削加工にて所定の円弧状の断面形状に形成した後、超仕上加工を施すか、または、前記一対のリング部材を分離し、前記一対のリング部材を個々に超仕上加工を施し、その後、前記各リング部材のそれぞれの突合せ面が研削加工にて所定量カットされ、再び、前記一対のリング部材をそれぞれ突き合わせたことを特徴とする四点接触玉軸受の製造方法。
【請求項８】
それぞれ１つのリング部材で構成された前記外輪の素材の外周面および前記内輪素材の内周面の幅中央部に予め断面Ｖ字形の環状溝を形成し、研削加工にて所定の円弧状の断面形状に形成した後超仕上加工を施し、その後、前記環状溝に楔治具を入れてそれぞれ前記一対のリング部材に分離し、これら一対のリング部材の突合せ面を研削加工にて所定量カットするようにした請求項７に記載の四点接触玉軸受の製造方法。
【請求項９】
内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受の製造方法において、
前記外輪および内輪を構成するそれぞれ一対のリング部材を、予め所定の厚みを有するスペーサを介して互いに突き合わされた状態で連結し、研削加工にて所定の円弧状の断面形状に形成した後超仕上加工を施し、その後、前記スペーサを取り外して所定の断面形状を有する転走面に形成するようにしたことを特徴とする四点接触玉軸受の製造方法。
【発明の詳細な説明】
【技術分野】
【０００１】
本発明は、電動パワーステアリングのアシストモータ軸を回転自在に支承する玉軸受、特に、内輪と外輪間にそれぞれにボールが接触するように保持され、内輪および外輪にボールが二点で接触する転走面が形成されている四点接触玉軸受およびその製造方法に関するものである。
【背景技術】
【０００２】
一般に、転がり軸受においては、摩擦トルク低減や摩耗防止、および寿命向上のため、内輪および外輪と転動体との接触面に、表面粗さに比べ充分な厚さの潤滑油膜を確保する必要がある。したがって、深溝玉軸受等の一般的な転がり軸受では、転走面を研削加工にて所定の形状に形成した後、さらに超仕上加工を施してその表面粗さを小さくしている。
【０００３】
また、玉軸受の中には、三点接触玉軸受や四点接触玉軸受等の多点接触玉軸受がある。このような多点接触玉軸受においては、内輪および外輪の内少なくとも一方の軌道輪にボールと二点で接触する転走面が形成されている。このボールと二点で接触する転走面の断面形状としては、用途や使用条件によってゴシックアーチ、楕円、あるいはＶ字形等の形状が適宜採用されている。特に、四点接触玉軸受は、単列軸受でありながらラジアル荷重および両方向のスラスト荷重を負荷することができるため、電動パワーステアリングのアシストモータ軸を回転自在に支承する軸受等、両方向のスラスト荷重が負荷され、かつ高速回転で使用される用途、なおかつ、スペースがないために複列アンギュラ玉軸受等の複列玉軸受が使用できない用途に広く採用されている。また、この四点接触玉軸受は、径方向すきまに対して軸方向すきまの範囲を抑制することができるため、組立後の装置のガタを抑えることができると言った利便性も併せ持っている。
【０００４】
こうした四点接触玉軸受の代表的な一例を図５に示す。この四点接触玉軸受５０は、内輪５１と外輪５２と、これら内外輪５１、５２間に保持器５４により転動自在に保持されている複数のボール５３を有している。内輪５１は互いに合わされた一対のリング部材５５、５６から構成されている。各リング部材５５、５６には所定の曲率半径の円弧状の断面形状を有する転走面５５ａ、５６ａがそれぞれ形成され、各転走面５５ａ、５６ａは互いに協働してゴシックアーチの断面形状を有する転走面５１ａを形成している。
【０００５】
一方、外輪５２は１つのリング部材から構成され、このリング部材にはゴシックアーチの断面形状を有する転走面５２ａが形成されている。この転走面５２ａの表面粗さは、バレル加工により調整されている。各ボール５３は、内輪５１の転走面５１ａに対し二点で接触するように、かつ外輪５２の転走面５２ａに対し二点で接触するように内輪５１と外輪５２との間に保持されている。
【０００６】
このように、１つのリング部材から構成された外輪５２において、ゴシックアーチからなる断面形状を有する転走面５２ａが形成されている時に、この外輪５２の転走面５２ａに対して超仕上加工を効率的に行うことは難しいが、バレル加工によって外輪５２の転走面５２ａの表面粗さを改善することができ、四点接触玉軸受５０の摩擦トルク低減と摩耗防止および耐久性向上を図ることができる。
【特許文献１】特開平１１−６２９９０号公報
【発明の開示】
【発明が解決しようとする課題】
【０００７】
然しながら、この従来の四点接触玉軸受５０において、１つのリング部材から構成された外輪５２において、ゴシックアーチ形状の転走面５２ａに対して研削加工にて所定の形状に形成した後バレル加工を行い、転走面５２ａの表面粗さを改善することができるものの、加工時間が長くなり、転走面５２ａの母線形状、表面粗さを安定して確保することは容易でない。
【０００８】
本発明は、このような従来の問題に鑑みてなされたもので、内外輪の転走面の表面粗さを改善し、摩擦トルク低減と摩耗防止および寿命を向上させると共に、転走面の形状崩れを抑制し、軸受の昇温や異音の発生を防止した四点接触玉軸受を提供することを目的とする。
【課題を解決するための手段】
【０００９】
係る目的を達成すべく、本発明のうち請求項１に記載の発明は、内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受において、前記外輪および内輪が、互いに突き合わされたそれぞれ一対のリング部材で構成されると共に、それぞれの転走面に所定の表面粗さを有する超仕上面が形成されている構成を採用した。
【００１０】
このように、外輪および内輪が、互いに突き合わされたそれぞれ一対のリング部材で構成されると共に、それぞれの転走面に所定の表面粗さを有する超仕上面が形成されているので、所定の母線形状を得ることができ、かつその表面粗さを小さくすることができる。したがって、摩擦トルク低減と摩耗防止および寿命を向上させると共に、軸受の昇温や異音の発生を防止した四点接触玉軸受を提供することができる。
【００１１】
また、請求項２に記載の発明は、前記外輪および内輪を構成するそれぞれ一対のリング部材が連結手段によって一体化されているので、軸受の取扱いが簡便になると共に、装置等に軸受を組み立てる際のミスアライメントを抑制することができる。
【００１２】
また、前記連結手段として、請求項３に記載の発明のように、前記外輪および内輪にそれぞれ軸方向に延びる貫通孔が穿設され、この貫通孔に固定ボルトが嵌挿され、ナットで前記一対のリング部材が一体に締結されるようにしても良い。また、請求項４に記載の発明のように、前記外輪の外周面および前記内輪の内周面に、前記一対のリング部材の突合せ面を跨ぐように円形溝が複数形成され、これらの円形溝に止め輪が嵌合されていても良い。また、請求項５に記載の発明のように、前記外輪の外周面および前記内輪の内周面に、前記一対のリング部材の突合せ面を挟んで一対の環状溝が形成され、これらの環状溝に断面略コの字形の連結環が嵌合されていても良い。
【００１３】
好ましくは、請求項６に記載の発明のように、前記外輪および内輪の転走面が、ゴシックアーチの断面形状に形成されていれば、軸受の径方向すきまに対して軸方向すきまの範囲を抑制することができるため、組立後の装置のガタを抑えることができる。
【００１４】
また、本発明のうち請求項７に記載の方法発明は、内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受の製造方法において、前記外輪および内輪を構成するそれぞれ一対のリング部材を互いに突き合わされた状態で連結し、研削加工にて所定の円弧状の断面形状に形成した後、超仕上加工を施すか、または、前記一対のリング部材を分離し、前記一対のリング部材を個々に超仕上加工を施し、その後、前記各リング部材のそれぞれの突合せ面が研削加工にて所定量カットされ、再び、前記一対のリング部材をそれぞれ突き合わせた。
【００１５】
このような製造方法を採用することにより、研削加工によって形成された所定の母線形状を崩すことなく、各転走面の表面粗さを効率良く小さくすることができる。
【００１６】
また、請求項８に記載の発明は、それぞれ１つのリング部材で構成された前記外輪の素材の外周面および前記内輪素材の内周面の幅中央部に予め断面Ｖ字形の環状溝を形成し、研削加工にて所定の円弧状の断面形状に形成した後超仕上加工を施し、その後、前記環状溝に楔治具を入れてそれぞれ前記一対のリング部材に分離し、これら一対のリング部材の突合せ面を研削加工にて所定量カットするようにしたので、少なくとも前工程の加工工数が削減できると共に、一対のリング部材を連結する工程を省くことができ、またその時の位置ずれを防止することができるので、一層寸法精度の向上を図ることができる。
【００１７】
また、本発明のうち請求項９に記載の方法発明は、内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受の製造方法において、前記外輪および内輪を構成するそれぞれ一対のリング部材を、予め所定の厚みを有するスペーサを介して互いに突き合わされた状態で連結し、研削加工にて所定の円弧状の断面形状に形成した後超仕上加工を施し、その後、前記スペーサを取り外して所定の断面形状を有する転走面に形成するようにした。
【００１８】
このような製造方法を採用することにより、従来のように、一対のリング部材を前工程で所定の幅寸法に研削加工するだけで良く、一対のリング部材の突合せ面を転走面の超仕上加工後に研削加工しなくても良く、幅研削工程で転走面に打ち傷等が発生するのを防止することができる。
【発明の効果】
【００１９】
本発明に係る四点接触玉軸受は、内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受において、前記外輪および内輪が、互いに突き合わされた一対のリング部材で構成されると共に、それぞれの転走面に所定の超仕上面が形成されているので、所定の母線形状を得ることができ、かつその表面粗さを小さくすることができる。したがって、摩擦トルク低減と摩耗防止および寿命を向上させると共に、軸受の昇温や異音の発生を防止した四点接触玉軸受を提供することができる。
【００２０】
また、本発明に係る四点接触玉軸受の製造方法は、内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受の製造方法において、前記外輪および内輪を構成するそれぞれ一対のリング部材を互いに突き合わされた状態で連結し、研削加工にて所定の円弧状の断面形状に形成した後超仕上加工を施すか、または、前記一対のリング部材を分離し、前記一対のリング部材を個々に後超仕上加工を施し、その後、前記各リング部材のそれぞれの突合せ面が研削加工にて所定量カットされ、所定の断面形状を有する転走面に形成されるので、研削加工によって形成された所定の母線形状を崩すことなく、各転走面の表面粗さを効率良く小さくすることができる。また、従来の製造工程を一部修正するだけで大幅な工程変更が不要となり、従来のようなオンラインで所望の四点接触玉軸受を製造することができる。
【００２１】
また、本発明に係る四点接触玉軸受の製造方法は、内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触する断面形状に形成された四点接触玉軸受の製造方法において、前記外輪および内輪を構成するそれぞれ一対のリング部材を、予め所定の厚みを有するスペーサを介して互いに突き合わされた状態で連結し、研削加工にて所定の円弧状の断面形状に形成した後超仕上加工を施し、その後、前記スペーサを取り外して所定の断面形状を有する転走面に形成するようにしたので、従来のように、一対のリング部材を前工程で所定の幅寸法に研削加工するだけで良く、一対のリング部材の突合せ面を転走面の超仕上加工後に研削加工しなくても良く、幅研削工程で転走面に打ち傷等が発生するのを防止することができる。
【発明を実施するための最良の形態】
【００２２】
内周に外側転走面が形成された外輪と、外周に前記外側転走面に対向する内側転走面が形成された内輪と、前記外側転走面と内側転走面間に転動自在に収容された複数のボールとを備え、前記各転走面が、前記ボールとそれぞれ二点で接触するゴシックアーチの断面形状に形成された四点接触玉軸受において、前記外輪および内輪が、互いに突き合わされたそれぞれ一対のリング部材で構成されると共に、それぞれの転走面に所定の表面粗さを有する超仕上面が形成されている。
【実施例１】
【００２３】
以下、本発明の実施の形態を図面に基いて詳細に説明する。
図１は、本発明に係る四点接触玉軸受の第１の実施形態を示す縦断面図である。
この四点接触玉軸受１は、内周に外側転走面２ａが形成された外輪２と、外周に内側転走面３ａが形成された内輪３と、両転走面２ａ、３ａ間に収容され、保持器４によって転動自在に保持されたボール５とからなる。
【００２４】
外輪２は、互いに突き合された一対の外リング部材６、７から構成されている。各外リング部材６、７の内周には所定の曲率半径を有する円弧状の断面形状からなる転走面６ａ、７ａがそれぞれ形成され、各転走面６ａ、７ａは互いに協働してゴシックアーチの断面形状、すなわち、軸受の幅中心に対して軸方向に等距離オフセットした一対の曲率中心を有する円弧面を有する転走面３ａが形成されている。一方、内輪３もこの外輪２と同様、互いに突き合された一対の内リング部材８、９から構成され、これら内リング部材８、９の外周には所定の曲率半径を有する円弧状の断面形状からなる転走面８ａ、９ａがそれぞれ形成され、各転走面８ａ、９ａは互いに協働してゴシックアーチの断面形状を有する転走面３ａが形成されている。
【００２５】
外輪２および内輪３にはそれぞれ軸方向に延びる貫通孔１０、１０が穿設され、この貫通孔１０、１０に固定ボルト１１、１１が嵌挿され、ナット１２、１２で外リング部材６、７および内リング部材８、９がそれぞれ一体に締結されている。これにより、外輪２を構成する一対の外リング部材６、７および内輪３を構成する一対の内リング部材８、９が連結手段によって一体化されているので、軸受の取扱いが簡便になると共に、装置等に軸受を組み立てる際のミスアライメントを抑制することができる。
【００２６】
外輪２を構成する一対の外リング部材６、７は、予め連結治具等で互いに突き合わされた状態で、内周面を研削加工にて所定の円弧状の断面形状に形成した後、超仕上加工を施して表面粗さを小さくする。その後、一対の外リング部材６、７に分離し、各外リング部材６、７のそれぞれの突合せ面６ｂ、７ｂが研削加工にて所定量カットされる。この幅研削加工後に、一対の外リング部材６、７が再度一体的に組み合わされ、ゴシックアーチの断面形状を有する外側転走面２ａ、すなわち、ボール５と二点接触する外側転走面２ａが形成されることになる。
【００２７】
一方、内輪３も同様、一対の内リング部材８、９は、予め連結治具等で互いに突き合わされた状態で、外周面を研削加工にて所定の円弧状の断面形状に形成した後、超仕上加工を施して表面粗さを小さくする。その後、一対の内リング部材８、９に分離し、各内リング部材８、９のそれぞれの突合せ面８ｂ、９ｂが研削加工にて所定量カットされる。この幅研削加工後に、一対の内リング部材８、９が再度一体的に組み合わされ、ゴシックアーチの断面形状を有する内側転走面３ａ、すなわち、ボール５と二点接触する内側転走面３ａが形成されることになる。
【００２８】
これにより、深溝玉軸受等の一般的な玉軸受と同じ水準、すなわち、転走面の表面粗さは、研削加工後の０．２〜０．４Ｒａに対して、超仕上加工後で０．０５〜０．１Ｒａの範囲に規制することが可能となる。したがって、研削加工によって形成された所定の母線形状を崩すことなく、各転走面２ａ、３ａの表面粗さを効率良く小さくすることができ、摩擦トルク低減と摩耗防止および寿命を向上させると共に、軸受の昇温や異音の発生を防止した四点接触玉軸受を提供することができる。また、従来の製造工程を一部修正するだけで大幅な工程変更が不要となり、従来のようなオンラインで所望の四点接触玉軸受を製造することができる。なお、ここでは、各転走面２ａ、３ａをゴシックアーチの断面形状としたものを例示したが、無論これに限らず、例えば、楕円やＶ字形の断面形状であっても良い。
【００２９】
超仕上加工としてはこれ以外にも、例えば外輪２の場合、外輪２を構成する一対の外リング部材６、７を、予め連結治具等で互いに突き合わされた状態で、内周面を研削加工にて所定の円弧状の断面形状に形成した後、一対の外リング部材６、７に分離し、一対の外リング部材６、７を別々に超仕上加工を施した後に、各外リング部材６、７のそれぞれの突合せ面６ｂ、７ｂを研削加工にて所定量カットしても良い。
【００３０】
また、一対の外リング部材６、７の突合せ面６ｂ、７ｂ間に予め所定の厚みを有するスペーサを介在させ、連結治具等で一体にした状態で、内周面を研削加工にて所定の円弧状の断面形状に形成し、さらに一対の外リング部材６、７を一体に超仕上加工を施し、その後スペーサを取り外すようにしても良い。こうした製造方法では、従来のように一対のリング部材を前工程で所定の幅寸法に研削加工するだけで良く、一対のリング部材の突合せ面を転走面の超仕上加工後に研削加工しなくても良い。したがって、厳密な取扱いをしなくても幅研削工程で転走面に打ち傷等が発生するのを防止することができる。
【００３１】
さらに、他の超仕上加工として、例えば外輪２の場合、１つのリング部材からなる外輪素材の外周面（幅中央部）に予め断面Ｖ字形の環状溝を形成すると共に、内周面を研削加工にて所定の円弧状の断面形状に形成し、さらに超仕上加工を施した後、環状溝に楔治具を入れて一対のリング部材に分離し、これら一対のリング部材の突合せ面を研削加工にて所定量カットしても良い。この方法により、少なくとも前工程の加工工数が削減できると共に、一対のリング部材を連結する工程を省くことができ、またその時の位置ずれを防止することができるので、一層寸法精度の向上を図ることができる。
【実施例２】
【００３２】
図２は、本発明に係る四点接触玉軸受の第２の実施形態を示す縦断面図、図３は図２の要部矢視図である。この第２の実施形態は、前述した第１の実施形態と一対のリング部材を固定する手段が異なるだけで、その他第１の実施形態と同一部品同一部位には同じ符号を付してその詳細な説明を省略する。
【００３３】
この四点接触玉軸受１２は、内周に外側転走面２ａが形成された外輪１３と、外周に内側転走面３ａが形成された内輪１４と、両転走面２ａ、３ａ間に収容され、保持器４によって転動自在に保持されたボール５とからなる。
【００３４】
外輪１３は、互いに突き合された一対の外リング部材１５、１６から構成されている。各外リング部材１５、１６の内周には所定の曲率半径を有する円弧状の断面形状からなる転走面６ａ、７ａがそれぞれ形成され、各転走面６ａ、７ａは互いに協働してゴシックアーチの断面形状を有する転走面２ａが形成されている。一方、内輪１４もこの外輪１３と同様、互いに突き合された一対の内リング部材１７、１８から構成され、これら内リング部材１７、１８の外周には所定の曲率半径を有する円弧状の断面形状からなる転走面８ａ、９ａがそれぞれ形成され、各転走面８ａ、９ａは互いに協働してゴシックアーチの断面形状を有する転走面３ａが形成されている。
【００３５】
本実施形態では、外輪１３の外周面に円形溝１９が突合せ面６ｂ、７ｂを跨ぐように複数形成されている。また、この円形溝１９は、断面が蟻溝状に開口部が底部よりも狭くなるように形成されている。この円形溝１９に金属製の止め輪２０が嵌合されている。この止め輪２０は円形溝１９の開口部よりも僅かに線径が大きく設定され、シメシロを持って圧入されている。これにより、止め輪２０は僅かに塑性変形した状態で嵌合されるため、一対の外リング部材１５、１６はガタなく強固に一体化される。一方、内輪１４も同様、内周面に円形溝２１が突合せ面８ｂ、９ｂを跨ぐように複数形成されている。そして、この円形溝２１に止め輪２０が嵌合され、一対の内リング部材１７、１８はガタなく強固に一体化されている。
【実施例３】
【００３６】
図４は、本発明に係る四点接触玉軸受の第３の実施形態を示す縦断面図である。この第３の実施形態は、前述した実施形態と一対のリング部材を固定する手段が異なるだけで、その他同一部品同一部位には同じ符号を付してその詳細な説明を省略する。
【００３７】
この四点接触玉軸受２２は、内周に外側転走面２ａが形成された外輪２３と、外周に内側転走面３ａが形成された内輪２４と、両転走面２ａ、３ａ間に収容され、保持器４によって転動自在に保持されたボール５とからなる。
【００３８】
外輪２３は、互いに突き合された一対の外リング部材２５、２６から構成されている。各外リング部材２５、２６の内周には所定の曲率半径を有する円弧状の断面形状からなる転走面６ａ、７ａがそれぞれ形成され、各転走面６ａ、７ａは互いに協働してゴシックアーチの断面形状を有する転走面２ａが形成されている。一方、内輪２４もこの外輪２３と同様、互いに突き合された一対の内リング部材２７、２８から構成され、これら内リング部材２７、２８の外周には所定の曲率半径を有する円弧状の断面形状からなる転走面８ａ、９ａがそれぞれ形成され、各転走面８ａ、９ａは互いに協働してゴシックアーチの断面形状を有する転走面３ａが形成されている。
【００３９】
本実施形態では、外輪２３の外周面に突合せ面６ｂ、７ｂを挟んで一対の環状溝２９、２９が形成されている。この環状溝２９、２９に断面略コの字形の連結環３０が嵌合されている。この連結環３０を弾性変形させて環状溝２９に装着することにより、一対の外リング部材２５、２６はガタなく強固に一体化される。一方、内輪２４も同様、内周面に一対の環状溝３１が突合せ面８ｂ、９ｂを挟んで形成されている。そして、この環状溝３１に連結環３２が装着され、一対の内リング部材２７、２８はガタなく強固に一体化されている。なお、ここでは鋼板製で表面が硬化処理された連結環３０、３２を弾性変形させて環状溝２９、３１に装着したものを例示したが、これに限らず、例えば硬化処理されていない連結環を環状溝に塑性変形させて加締装着し、一対のリング部材をガタなく強固に一体化するようにしても良い。
【００４０】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４１】
本発明に係る四点接触玉軸受は、左右両方向のスラスト荷重が負荷される箇所で、軸受スペースが制約され、かつ高速回転で静寂性が要求される環境下で使用される四点接触玉軸受に適用できる。
【図面の簡単な説明】
【００４２】
【図１】本発明に係る四点接触玉軸受の第１の実施形態を示す縦断面図である。
【図２】本発明に係る四点接触玉軸受の第２の実施形態を示す縦断面図である。
【図３】図２を上方から見た要部矢視図である。
【図４】本発明に係る四点接触玉軸受の第３の実施形態を示す縦断面図である。
【図５】従来の四点接触玉軸受を示す縦断面図である。
【符号の説明】
【００４３】
１、１２、２２・・・・・・・・・・四点接触玉軸受
２、１３、２３・・・・・・・・・・外輪
２ａ・・・・・・・・・・・・・・・外側転走面
３、１４、２４・・・・・・・・・・内輪
３ａ・・・・・・・・・・・・・・・内側転走面
４・・・・・・・・・・・・・・・・保持器
５・・・・・・・・・・・・・・・・ボール
６、７、１５、１６、２５、２６・・外リング部材
６ａ、７ａ、８ａ、９ａ・・・・・・転走面
６ｂ、７ｂ、８ｂ、９ｂ・・・・・・突合せ面
８、９、１７、１８、２７、２８・・内リング部材
１０・・・・・・・・・・・・・・・貫通孔
１１・・・・・・・・・・・・・・・固定ボルト
１２・・・・・・・・・・・・・・・ナット
１９、２１・・・・・・・・・・・・円形溝
２０・・・・・・・・・・・・・・・止め輪
２９、３１・・・・・・・・・・・・環状溝
３０、３２・・・・・・・・・・・・連結環
５０・・・・・・・・・・・・・・・四点接触玉軸受
５１・・・・・・・・・・・・・・・内輪
５１ａ、５２ａ・・・・・・・・・・転走面
５２・・・・・・・・・・・・・・・外輪
５３・・・・・・・・・・・・・・・ボール
５４・・・・・・・・・・・・・・・保持器
５５、５６・・・・・・・・・・・・リング部材
５５ａ、５６ａ・・・・・・・・・・転走面
【図１】
2005214330.tif 000003
【図２】
2005214330.tif 000004
【図３】
2005214330.tif 000005
【図４】
2005214330.tif 000006
【図５】
2005214330.tif 000007